(57)【特許請求の範囲】
【請求項１】
庫本体の頂部に配設されて同庫本体の内部雰囲気を調整する調整機構を、同庫本体の頂部に取付けたキャビネットにて覆蓋して収容してなる貯蔵庫であって、前記キャビネットは、断面門形で下面側および前後面の一方側が開口し下面側にて前記庫本体の頂部に取付けられるキャビネット本体と、同キャビネット本体の前後面の一方側開口部を覆蓋する蓋体からなり、かつ、前記キャビネット本体は、１枚の本体形成部材を折り曲げて形成された断面門形体と、同断面門形体の他方側開口部に接合された壁部材とからなり、前記キャビネット本体は、下面側開口部の各下縁に前記庫本体の頂部に当接する折り曲げ形成してなる内向フランジ部を備え、かつ、前記一方側開口部の上縁および左右両縁に前記蓋体に当接する折り曲げ形成してなる内向フランジ部を備えるとともに、前記一方側開口部の上縁に設けた内向フランジ部の下縁に前記蓋体を掛止する折り曲げ形成してなる外向フランジ部を備えている貯蔵庫において、前記キャビネット本体の一方側開口部の各側縁に設けた内向フランジ部の側縁に、同内向フランジ部に直交して前記キャビネット本体の内方へ突出する折り曲げ形成してなるフランジ部を設けたことを特徴とする貯蔵庫。
【請求項２】
庫本体の頂部に配設されて同庫本体の内部雰囲気を調整する調整機構を、同庫本体の頂部に取付けたキャビネットにて覆蓋して収容してなる貯蔵庫であって、前記キャビネットは、断面門形で下面側および前後面の一方側が開口し下面側にて前記庫本体の頂部に取付けられるキャビネット本体と、同キャビネット本体の前後面の一方側開口部を覆蓋する蓋体からなり、かつ、前記キャビネット本体は、１枚の本体形成部材を折り曲げて形成された断面門形体と、同断面門形体の他方側開口部に接合された壁部材とからなり、前記キャビネット本体は、下面側開口部の各下縁に前記庫本体の頂部に当接する折り曲げ形成してなる内向フランジ部を備え、かつ、前記一方側開口部の上縁および左右両縁に前記蓋体に当接する折り曲げ形成してなる内向フランジ部を備えるとともに、前記一方側開口部の上縁に設けた内向フランジ部の下縁に前記蓋体を掛止する折り曲げ形成してなる外向フランジ部を備えている貯蔵庫において、前記キャビネット本体の下面側開口部の各下縁に設けた内向フランジ部の側縁に、同内向フランジ部に直交して前記キャビネット本体の上方へ突出する折り曲げ形成してなるフランジ部を設けたことを特徴とする貯蔵庫。
【請求項３】
庫本体の頂部に配設されて同庫本体の内部雰囲気を調整する調整機構を、同庫本体の頂部に取付けたキャビネットにて覆蓋して収容してなる貯蔵庫であって、前記キャビネットは、断面門形で下面側および前後面の一方側が開口し下面側にて前記庫本体の頂部に取付けられるキャビネット本体と、同キャビネット本体の前後面の一方側開口部を覆蓋する蓋体からなり、かつ、前記キャビネット本体は、１枚の本体形成部材を折り曲げて形成された断面門形体と、同断面門形体の他方側開口部に接合された壁部材とからなり、前記キャビネット本体は、下面側開口部の各下縁に前記庫本体の頂部に当接する折り曲げ形成してなる内向フランジ部を備え、かつ、前記一方側開口部の上縁および左右両縁に前記蓋体に当接する折り曲げ形成してなる内向フランジ部を備えるとともに、前記一方側開口部の上縁に設けた内向フランジ部の下縁に前記蓋体を掛止する折り曲げ形成してなる外向フランジ部を備えている貯蔵庫において、前記キャビネット本体の一方側開口部の各側縁に設けた内向フランジ部の側縁には同内向フランジ部に直交して前記キャビネット本体の内方へ突出する折り曲げ形成してなるフランジ部を設け、かつ、前記キャビネット本体の下面側開口部の各下縁に設けた内向フランジ部の側縁には同内向フランジ部に直交して前記キャビネット本体の上方へ突出する折り曲げ形成してなるフランジ部を設けたことを特徴とする貯蔵庫。
【請求項４】
請求項１，２または３に記載の貯蔵庫であって、前記庫本体は、飲料用水を収容する収容空間部を備えて、同収容空間部に収容されている飲料用水を前記キャビネット内に収容した調整機構にて温度調整可能に構成され、かつ、温度調整された飲料用水を外部に抽出可能な飲料水抽出装置に構成されていることを特徴とする貯蔵庫。
【発明の詳細な説明】
【０００１】
【発明の属する技術分野】
本発明は貯蔵庫に関し、特に、庫本体の頂部に配設されて同庫本体の内部雰囲気を調整する調整機構を、同庫本体の頂部に取付けたキャビネットにて覆蓋して収容してなる形式の貯蔵庫に関する。
【０００２】
【従来の技術】
この種形式の貯蔵庫としては、冷蔵庫、冷凍庫、温蔵庫、飲料水を貯蔵して必要時に飲料水を抽出操作により抽出する飲料水抽出装置がある。これらの貯蔵庫においては、キャビネットは、断面門形で下面側および前後面の一方側が開口し下面側にて前記庫本体の頂部に取付けられるキャビネット本体と、同キャビネット本体の前後面の一方側開口部を覆蓋する蓋体により構成されている。図４には、従来のキャビネットを構成するキャビネット本体が示されている。
【０００３】
従来のキャビネット本体は、図４に示すように、上壁部１、左右の各側壁部２，３、後壁部４からなるもので、前面側および下面側が開口している。また、当該キャビネット本体においては、下面側開口部の左右の各下縁に内向フランジ部２ａ，３ａを、前面側開口部の上縁に内向フランジ部１ａを、前面側開口部の左右両縁に内向フランジ部２ｂ，３ｂを備えているとともに、前面側開口部の上縁に設けた内向フランジ部１ａの下縁に外向フランジ部１ｂを備えている。
【０００４】
かかる構成のキャビネット本体においては、下面側開口部の左右の各下縁に位置する内向フランジ部２ａ，３ａが庫本体の頂部に対する取付部として機能し、前面側開口部の上縁に設けた内向フランジ部１ａの下縁に位置する外向フランジ部１ｂが蓋体を掛止めする掛止部として機能し、かつ、前面側開口部の上縁に位置する内向フランジ部１ａ、および、前面側開口部の左右両縁に位置する内向フランジ部２ｂ，３ｂが外向フランジ部１ｂに掛止された蓋体の当接部として機能する。
【０００５】
【発明が解決しようとする課題】
ところで、このような構成のキャビネットにおいては、キャビネット本体が左右方向へぐらつき易い不安定な取付構造であり、例えば、貯蔵庫を頭部側と脚部側とを支持した状態で運搬するような場合には、キャビネットが変形、損傷等を生じるおそれがある。
【０００６】
また、キャビネット本体を庫本体の頂部から取外す場合には、下面側開口部の左右の内向フランジ部２ａ，３ａが、キャビネットが覆蓋している調整機構の電源コード５等配線系統を引っかけ易く、調整機構を損傷させる要因となる。
【０００７】
また、キャビネット本体は、上壁部１および左右の各側壁部２，３が一体の本体部材に後壁部４の部材を接合することにより形成されるが、当該本体部材は図５に示すように、上壁部１、各側壁部２，３、および各フランジ部１ａ、１ｂ、２ａ，２ｂ、３ａ，３ｂを含む大きさの平板６を用い、平板６を同図の２点鎖線で示す部位６ａを切欠いて、残りの部位を上壁部１、各側壁部２，３、および各フランジ部１ａ、１ｂ、２ａ，２ｂ、３ａ，３ｂ毎に折り曲げて形成される。このため、キャビネット本体を形成するには、平板６の部位６ａを切欠く作業が必要で、手数と時間を要している。
【０００８】
従って、本発明の目的は、キャビネット本体の取付状態の安定化を図るとともに、キャビネット本体を庫本体の頂部から取外す場合のキャビネット本体の配線系統等への引っかかりを防止することにあり、さらには、キャビネット本体を形成する場合に要する切欠き部位を少なくして、キャビネット本体を形成するための手数と時間を短縮することにある。
【０００９】
【課題を解決するための手段】
本発明は、庫本体の頂部に配設されて同庫本体の内部雰囲気を調整する調整機構を、同庫本体の頂部に取付けたキャビネットにて覆蓋して収容してなる貯蔵庫に関するもので、本発明は特に、前記キャビネットが、断面門形で下面側および前後面の一方側が開口し下面側にて前記庫本体の頂部に取付けられるキャビネット本体と、同キャビネット本体の前後面の一方側開口部を覆蓋する蓋体からなり、かつ、前記キャビネット本体は、１枚の本体形成部材を折り曲げて形成された断面門形体と、同断面門形体の他方側開口部に接合された壁部材とからなり、前記キャビネット本体は、下面側開口部の各下縁に前記庫本体の頂部に当接する折り曲げ形成してなる内向フランジ部を備え、かつ、前記一方側開口部の上縁および左右両縁に前記蓋体に当接する折り曲げ形成してなる内向フランジ部を備えるとともに、前記一方側開口部の上縁に設けた内向フランジ部の下縁に前記蓋体を掛止する折り曲げ形成してなる外向フランジ部を備えている形式の貯蔵庫を適用対象とするものである。
【００１０】
しかして、本発明は上記した形式の貯蔵庫において、前記キャビネット本体の一方側開口部の各側縁に設けた内向フランジ部の側縁に、同内向フランジ部に直交して前記キャビネット本体の内方へ突出する折り曲げ形成してなるフランジ部を設けたこと、および／または、前記キャビネット本体の下面側開口部の各下縁に設けた内向フランジ部の側縁に、同内向フランジ部に直交して前記キャビネット本体の上方へ突出する折り曲げ形成してなるフランジ部を設けたことを特徴とするものである。
【００１１】
本発明に係る貯蔵庫は、前記庫本体を飲料用水を収容する収容空間部を備えた構成として、同収容空間部に収容されている飲料用水を前記収キャビネット内に収容した調整機構にて温度調整可能で、かつ、温度調整された飲料用水を外部に抽出可能な飲料水抽出装置に構成することができる。
【００１２】
【発明の作用・効果】
本発明に係る貯蔵庫においては、キャビネット本体の一方側開口部の各側縁に設けた内向フランジ部の側縁に設けられて、同内向フランジ部に直交してキャビネット本体の内方へ突出するフランジ部が、同内向フランジ部と共に強固な柱部を構成するため、キャビネット本体の左右方向へのぐらつきが防止される。
【００１３】
また、本発明に係る貯蔵庫においては、キャビネット本体の下面側開口部の各下縁に設けた内向フランジ部の側縁に設けられて、同内向フランジ部に直交してキャビネット本体の上方へ突出するフランジ部が、同内向フランジ部と共に強固な梁部を構成するため、キャビネット本体の前後方向へのぐらつきが防止される。
【００１４】
従って、当該貯蔵庫においては、キャビネット本体は強固な取付構造を構成して安定な取付け状態となり、例えば、貯蔵庫を頭部側と脚部側とを支持した状態で運搬するような場合にも、キャビネットが変形したり、損傷等を生じるおそれはない。
【００１５】
また、当該貯蔵庫においては、キャビネット本体を庫本体の頂部から取外す場合には、下面側開口部の左右の内向フランジ部の側縁に設けられて、同内向フランジ部に直交してキャビネット本体の上方へ突出するフランジ部が、同内向フランジ部にキャビネット内に収容されている調整機構の電源コード等配線系統が引っかかるのを防止するため、調整機構を損傷させるおそれがない。
【００１６】
なお、従来のキャビネット本体は、上壁部および左右の各側壁部が一体の本体部材に後壁部の部材を接合することにより形成されるが、当該本体部材は図５に示すように、上壁部１、各側壁部２，３、および各フランジ部１ａ、１ｂ、２ａ，２ｂ、３ａ，３ｂを含む大きさの平板６を用い、平板６を同図の２点鎖線で示す部位６ａを切欠いて、残りの部位を上壁部１、各側壁部２，３、および各フランジ部１ａ、１ｂ、２ａ，２ｂ、３ａ，３ｂ毎に折り曲げて形成される。このため、キャビネット本体を形成するには、平板６の部位６ａを切欠く作業が必要で、手数と時間を要している。
【００１７】
これに対して、本発明に係る貯蔵庫のを構成するキャビネットを構成するキャビネット本体は、平板６の切欠かれるべき部位６ａのほとんど全てを各フランジ部として利用するものであり、キャビネット本体を形成するための切欠き作業の手数と時間を軽減することができる。
【００１８】
【発明の実施の形態】
以下、本発明を図面に基づいて説明すると、図１および図２には、本発明に係る貯蔵庫をビールディスペンサーに構成した例が示されている。当該ビールディスペンサーは、収納庫１０、ビール供給機構２０、および冷却機構３０を備えている。
【００１９】
収納庫１０は、庫本体１１とドア１２とからなるもので、庫本体１１は前面側に開口する開口部１１ａを備えているとともに、ビール供給機構２０および冷却機構３０の一部を収納する空間部１１ｂを備えている。ドア１２は、庫本体１１の開口部１１ａにおける一側縁部に回動可能に取付けられていて、庫本体１１の開口部１１ａを開放可能に閉鎖している。ドア１２の正面の略中央部には、ドレンパン１３が取付けられている。
【００２０】
ビール供給機構２０は、庫本体１１の空間部１１ｂの底部に設置されたビール樽２１、ビール樽２１に接続されたガス供給ホース２２、ビール樽２１に接続されたビール供給ホース２３、および、ドア１２の正面におけるドレンパン１３の上方に取付けられて外部に位置する抽出コック２４を備えている。かかるビール供給機構２０においては、外部からビール樽２１の内部へガス供給ホース２２を通して炭酸ガス圧が付与されていて、抽出コック２４を開放すると、付与されている炭酸ガス圧により、ビール樽２１内のビールがビール供給ホース２３を通して抽出コック２４から抽出される。
【００２１】
なお、ビール供給ホース２３は、抽出コック２４から抽出されるビールの過剰な泡立ちを抑制するために十分に長く形成されていて、その中間部にて、ドア１２の裏面上部に設けたフック１２ａに掛止めされている。
【００２２】
冷却機構３０は、コンプレッサ３１、凝縮器３２、キャピラリ３３、蒸発器３４、ドライヤ３５、第１、第２ファン３６ａ，３６ｂ等を備えている。コンプレッサ３１、凝縮器３２、ドライヤ３５、および第１ファン３６ａは庫本体１１の頂部に配設されていて、庫本体１１の頂部に配設したキャビネット４０にて覆蓋されて収納されている。また、蒸発器３４および第２ファン３６ｂは、庫本体１１の空間部１１ｂにおけるビール樽２１の後部および上方部に配置されている。コンプレッサ３１は、凝縮器３２、ドライヤ３５を介してキャピラリ３３に連結されており、また、蒸発器３４は庫本体１１の頂部を貫通して空間部１１ｂ内に至るキャピラリ３３に連結され、かつ、コンプレッサ３１に連結されている。
【００２３】
かかる冷却機構３０においては、コンプレッサ３１にて圧縮された冷媒は凝縮器３２にて凝縮されてドライヤ３５、およびキャピラリ３３を経て蒸発器３４に供給され、蒸発器３４にて蒸発して収容庫１０内を冷却した後にコンプレッサ３１に還流する。この間、第１、第２ファン３６ａ，３６ｂが駆動し、第１ファン３６ａはキャビネット４０の前面から空気を吸引して凝縮器３２を冷却し、かつ、第２ファン３６ｂは収容庫１０内の冷却された空気を循環させる。
【００２４】
キャビネット４０は、キャビネット本体４０ａと蓋体４０ｂとからなるもので、キャビネット本体４０ａは庫本体１１の頂部に取付けられて、冷却機構３０を構成するコンプレッサ３１、凝縮器３２、ドライヤ３５、および第１ファン３６ａ（冷却機構３０の主要構成部）を覆蓋し、また、蓋体４０ｂはキャビネット本体４０ａの前面に掛止めされて、キャビネット本体４０ａの前面開口部を覆蓋している。
【００２５】
キャビネット本体４０ａは、図３に示すように、上壁部４１、左右の各側壁部４２，４３、後壁部４４からなるもので、前面側および下面側が開口している。また、キャビネット本体４０ａにおいては、下面側開口部の左右の各下縁に内向フランジ部４２ａ，４３ａを、前面側開口部の上縁に内向フランジ部４１ａを、前面側開口部の左右両縁に内向フランジ部４２ｂ，４３ｂを備えているとともに、前面側開口部の上縁に設けた内向フランジ部４１ａの下縁に外向フランジ部４１ｂを備えている。
【００２６】
かかる構成のキャビネット本体４０ａにおいては、下面側開口部の左右の各下縁に位置する内向フランジ部４２ａ，４３ａが庫本体１１の頂部に対する取付部として機能し、前面側開口部の上縁に設けた内向フランジ部４１ａの下縁に位置する外向フランジ部４１ｂが蓋体４０ｂの掛止部として機能し、かつ、前面側開口部の上縁に位置する内向フランジ部４１ａ、および、前面側開口部の左右両縁に位置する内向フランジ部４２ｂ，４３ｂが外向フランジ部４１ｂに掛止された蓋体４０ｂの当接部として機能する。
【００２７】
しかして、当該キャビネット本体４０ａにおいては、前面側開口部の各側縁に設けた内向フランジ部４２ｂ，４３ｂの側縁に、これらに直交してキャビネット本体４０ａの内方へ突出するフランジ部４２ｃ，４３ｃが形成されており、かつ、下面側開口部の各下縁に設けた内向フランジ部４２ａ，４３ａの側縁に、これらに直交してキャビネット本体４０ａの上方へ突出するフランジ部４２ｄ，４３ｄが形成されている。
【００２８】
かかる構成のキャビネット４０を備えたビールディスペンサーにおいては、キャビネット本体４０ａの前面側開口部の各側縁に設けた内向フランジ部４２ｂ，４３ｂの側縁に設けられて、これらの内向フランジ部４２ｂ，４３ｂに直交してキャビネット本体４０ａの内方へ突出するフランジ部４２ｃ，４３ｃが、内向フランジ部４２ｂ，４３ｂと共に強固な柱部を構成するため、キャビネット本体４０ａが左右方向へのぐらつきを阻止する。
【００２９】
また、当該キャビネット４０においては、キャビネット本体４０ａの下面側開口部の各下縁に設けた内向フランジ部４２ａ，４３ａの側縁に設けられて、これら内向フランジ部４２ａ，４３ａに直交してキャビネット本体４０ａの上方へ突出するフランジ部４２ｄ，４３ｄが、内向フランジ部４２ａ，４３ａと共に強固な梁部を構成するため、キャビネット本体４０ａが前後方向へのぐらつきを阻止する。
【００３０】
従って、当該ビールディスペンサーにおいては、キャビネット本体４０ａは強固な取付構造を構成して安定な取付け状態となり、例えば、ビールディスペンサーを頭部側と脚部側とを支持した状態で運搬するような場合にも、キャビネット４０が変形したり、損傷等を生じるおそれはない。
【００３１】
また、当該ビールディスペンサーにおいては、キャビネット本体４０ａを庫本体１１の頂部から取外す場合には、下面側開口部の左右の内向フランジ部４２ａ，４３ａの側縁に設けたフランジ部４２ｄ，４３ｄが、冷却機構３０の電源コード等配線系統に引っかかるのを防止するため、冷却機構３０を損傷させるおそれがない。
【００３２】
また、当該キャビネット４０を構成するキャビネット本体４０ａにおいては、その従来の形成時に平板の切欠かれるべき部位のほとんど全てを各フランジ部として利用することができ、キャビネット本体４０ａを形成するための切欠き作業の手数と時間を軽減することができる。
【００３３】
なお、上記した実施形態は、本発明に係る貯蔵庫をビールディスペンサーに適用した例であるが、本発明に係る貯蔵庫は、ビールディスペンサー以外の冷蔵庫、冷凍庫、温蔵庫等の各種の貯蔵庫に好適に実施することができる。
【図面の簡単な説明】
【図１】本発明に係る貯蔵庫の一例であるビールディスペンサーの正面図である。
【図２】同ビールディスペンサーの一部縦断側面図である。
【図３】同ビールディスペンサーのキャビネットを構成するキャビネット本体の斜視図である。
【図４】従来のキャビネット本体の斜視図である。
【図５】従来のキャビネット本体の展開図である。
【符号の説明】
１０…収納庫、１１…庫本体、１１ａ…開口部、１１ｂ…空間部、１２…ドア、１２ａ…フック、１３…ドレンパン、２０…ビール供給機構、２１…ビール樽、２２…ガス供給ホース、２３…ビール供給ホース、２４…抽出コック、３０…冷却機構、３１…コンプレッサ、３２…凝縮器、３３…キャピラリ、３４…蒸発器、３５…ドライヤ、３６ａ，３６ｂ…ファン、４０…キャビネット、４０ａ…キャビネット本体、４０ｂ…蓋体、４１…上壁部、４１ａ…内向フランジ部、４１ｂ…外向フランジ部、４２，４３…側壁部、４２ａ，４３ａ…内向フランジ部、４２ｂ，４３ｂ…内向フランジ部、４２ｃ，４３ｃ…フランジ部、４２ｄ，４３ｄ…フランジ部、４４…後壁部、１…上壁部、１ａ…内向フランジ部、２，３…側壁部、２ａ，３ａ…内向フランジ部、４…後壁部、５…電源コード、６…平板、６ａ…平板の一部位。
【図１】
0003735469.tif 000002
【図２】
0003735469.tif 000003
【図３】
0003735469.tif 000004
【図４】
0003735469.tif 000005
【図５】
0003735469.tif 000006